(57)【要約】本発明は、建築用システム足場に関する。本発明に係る建築用システム足場は、平行に配置される多数個の垂直部材、及び前記垂直部材を連結する水平部材を含む建築用システム足場であって、前記各垂直部材は、長く延びて形成されるリニア部材と、それぞれが前記リニア部材の周りに沿って配置される多数個の装着孔を備え、前記リニア部材の長手方向に沿って間隔を置いて配置される多数個の装着部材とを含み、前記各水平部材は、長く延びて形成されるリニア部材と、前記リニア部材の長手方向の両端部に付着され、前記装着孔に挿入されるくさびとを含み、前記各リニア部材は、横断面の周縁に沿って位置する外郭フレームと、前記外郭フレームの内部に位置し、前記外郭フレームの内側面に連結される補強フレームとを含むことを特徴とする。これによって、足場の作製及び設置が容易であり、構造的にも安定している。
2021529275.tif 000002
【特許請求の範囲】
【請求項１】
平行に配置される多数個の垂直部材、及び前記垂直部材を連結する水平部材を含む建築用システム足場であって、
前記各垂直部材は、長く延びて形成されるリニア部材と、それぞれが前記リニア部材の周りに沿って配置される多数個の装着孔を備え、前記リニア部材の長手方向に沿って間隔を置いて配置される多数個の装着部材とを含み、
前記各水平部材は、長く延びて形成されるリニア部材と、前記リニア部材の長手方向の両端部に付着され、前記装着孔に挿入されるくさびとを含み、
前記各リニア部材は、横断面の周縁に沿って位置する外郭フレームと、前記外郭フレームの内部に位置し、前記外郭フレームの内側面に連結される補強フレームとを含むことを特徴とする、建築用システム足場。
【請求項２】
前記外郭フレームの外側面には凹凸が形成されることを特徴とする、請求項１に記載の建築用システム足場。
【請求項３】
前記リニア部材は、四角形または円形の断面を有することを特徴とする、請求項１に記載の建築用システム足場。
【請求項４】
前記各垂直部材の高さを調節する高さ調節手段をさらに備えることを特徴とする、請求項１に記載の建築用システム足場。
【請求項５】
前記高さ調節手段は、
前記垂直部材の下端部の外周面に形成される第１ねじ山と、
前記垂直部材の下端部が挿入される基底管と、
内周面に前記第１ねじ山と噛み合う第２ねじ山が形成されて前記垂直部材の下端部に沿って移動し、前記基底管の上面に載置される調節管とを含むことを特徴とする、請求項４に記載の建築用システム足場。
【請求項６】
前記各垂直部材は、前記リニア部材を多数個含み、
前記リニア部材は、管状からなる継手部材に端部が挿入されて長手方向に互いに連結され、
前記継手部材は、内部空間を長手方向上で両側に分離する分離板を備えることを特徴とする、請求項１に記載の建築用システム足場。
【請求項７】
前記リニア部材は、横断面の周縁部分で長手方向に沿って形成される進入孔と、前記進入孔から横断面の中心部側に延び、前記進入孔よりも大きい幅を有するヘッド孔とからなるボルト孔を備え、
前記ボルト孔には、長方形のヘッドを有するＴボルトが挿入されることを特徴とする、請求項１に記載の建築用システム足場。
【請求項８】
前記Ｔボルトのヘッドの上面にはばねが付着されることを特徴とする、請求項７に記載の建築用システム足場。
【発明の詳細な説明】
【技術分野】
【０００１】
本発明は、建築用システム足場に関し、より詳細には、作製及び設置が容易であり、構造的にも安定した建築用システム足場に関する。
【背景技術】
【０００２】
足場は、建築工事の際に高い所で作業ができるように設置される仮設物であって、材料の運搬や作業者の移動のための踏板を形成する。
【０００３】
このような足場は、仮設物であるので、設置及び解体が容易でなければならないと同時に、作業者の安全と円滑な作業の進行のために構造的に安定している必要がある。したがって、最近は、建築工事の際に、ほとんど、システム化された足場を使用する。
【０００４】
韓国登録特許第１０−１２２４１８３号公報の‘組立式システム足場’は、システム化された足場に関わる従来技術の一つである。前記‘組立式システム足場’は、図８に示されるように、垂直材１００Ａと水平材１００Ｂを主要構造体とし、垂直材１００Ａに固定された結合板１１０と水平材１００Ｂの端部に固定された締結部材２００とが互いに結合することによって、垂直材１００Ａと水平材１００Ｂとが一体化される。前記締結部材２００は、より具体的には、互いに別途に形成される締結溝２１０と締結ピン２２０からなるが、足場の設置の容易性のためには、垂直材１００Ａと水平材１００Ｂの結合がより単純に行われる必要がある。
【０００５】
韓国実用新案公開第２０−２０１２−０００４７５６号公報の‘システム足場’では、図９に示されるように、垂直材１１に連結具１２を形成し、水平材２１に連結手段３１を形成して、垂直材１１と水平材２１との結合が連結具１２に連結手段３１を挿入することによって単純に行われ得るようにした。しかし、垂直材１１には一定の高さ上で多数個の水平材２１と結合できるところ、韓国実用新案公開第２０−２０１２−０００４７５６号公報の‘システム足場’では、このために垂直材１１の一定の高さ上に別途に形成された多数個の連結具１２をそれぞれ固定させなければならないという面倒さがある。
【０００６】
韓国実用新案登録第２０−０４７５１１９号公報の‘システム足場’では、図１０に示されるように、垂直パイプ１０に多数個の固定孔２３が形成されたフランジ２０を取り付け、それぞれの固定孔２３に水平パイプ３０の嵌合突起Ｉ３３を挿入できるようにすることによって、足場をより単純に設置できるようにした。
【０００７】
一方、一般の足場において主要構造体は円形のパイプ状からなるが、このような主要構造体が有する構造的性能には限界がある。また、主要構造体は、工場などで予め作製されるため、互いに異なる現場の条件に合わせて設置することが容易ではないことがある。
【先行技術文献】
【特許文献】
【０００８】
【特許文献１】韓国登録特許第１０−１２２４１８３号公報
【特許文献２】韓国実用新案公開第２０−２０１２−０００４７５６号公報
【特許文献３】韓国実用新案登録第２０−０４７５１１９号公報
【発明の概要】
【発明が解決しようとする課題】
【０００９】
本発明は、上記のような従来技術の問題点を解決するためのものであって、設置を非常に簡便に行うことができる建築用システム足場を提供することにその目的がある。
【００１０】
また、構造的にも優れ、互いに異なる現場の条件に合わせて設置することが容易な建築用システム足場を提供しようとする。
【課題を解決するための手段】
【００１１】
上記のような課題を解決するための本発明の好ましい実施例によれば、平行に配置される多数個の垂直部材、及び前記垂直部材を連結する水平部材を含む建築用システム足場であって、前記各垂直部材は、長く延びて形成されるリニア部材と、それぞれが前記リニア部材の周りに沿って配置される多数個の装着孔を備え、前記リニア部材の長手方向に沿って間隔を置いて配置される多数個の装着部材とを含み、前記各水平部材は、長く延びて形成されるリニア部材と、前記リニア部材の長手方向の両端部に付着され、前記装着孔に挿入されるくさびとを含み、前記各リニア部材は、横断面の周縁に沿って位置する外郭フレームと、前記外郭フレームの内部に位置し、前記外郭フレームの内側面に連結される補強フレームとを含むことを特徴とする建築用システム足場が提供される。
【００１２】
本発明の更に他の実施例によれば、前記外郭フレームの外側面には凹凸が形成されることを特徴とする建築用システム足場が提供される。
【００１３】
本発明の更に他の実施例によれば、前記リニア部材は、四角形または円形の断面を有することを特徴とする建築用システム足場が提供される。
【００１４】
本発明の更に他の実施例によれば、前記各垂直部材の高さを調節する高さ調節手段をさらに備えることを特徴とする建築用システム足場が提供される。
【００１５】
本発明の更に他の実施例によれば、前記高さ調節手段は、前記垂直部材の下端部の外周面に形成される第１ねじ山と、前記垂直部材の下端部が挿入される基底管と、内周面に前記第１ねじ山と噛み合う第２ねじ山が形成されて前記垂直部材の下端部に沿って移動し、前記基底管の上面に載置される調節管とを含むことを特徴とする建築用システム足場が提供される。
【００１６】
本発明の更に他の実施例によれば、前記各垂直部材は、前記リニア部材を多数個含み、前記リニア部材は、管状からなる継手部材に端部が挿入されて長手方向に互いに連結され、前記継手部材は、内部空間を長手方向上で両側に分離する分離板を備えることを特徴とする建築用システム足場が提供される。
【００１７】
本発明の更に他の実施例によれば、前記リニア部材は、横断面の周縁部分で長手方向に沿って形成される進入孔と、前記進入孔から横断面の中心部側に延び、前記進入孔よりも大きい幅を有するヘッド孔とからなるボルト孔を備え、前記ボルト孔には、長方形のヘッドを有するＴボルトが挿入されることを特徴とする建築用システム足場が提供される。
【００１８】
本発明の更に他の実施例によれば、前記Ｔボルトのヘッドの上面にはばねが付着されることを特徴とする建築用システム足場が提供される。
【発明の効果】
【００１９】
本発明に係る建築用システム足場は、垂直部材と水平部材を構成するリニア部材が大きな荷重を支持することができるので、構造的に安定している。
【００２０】
また、水平部材のくさびを垂直部材の装着孔に単純に挿入する方法により水平部材を垂直部材に対して固定できるので、設置及び解体が容易である。
【００２１】
そして、垂直部材と水平部材が共通してリニア部材を含むので、足場を構成する部材の作製を容易にすることができる。
【００２２】
本発明に係る建築用システム足場が高さ調節手段をさらに含む場合、作業場の床の条件に関係なく本発明に係る建築用システム足場を適用することができる。
【００２３】
継手部材やＴボルトは、本発明に係る建築用システム足場がより様々な作業環境に適応できるようにする。
【図面の簡単な説明】
【００２４】
【図１】本発明に係る建築用システム足場の全体斜視図である。
【図２】本発明に係る建築用システム足場を構成する垂直部材の斜視図である。
【図３】本発明に係る建築用システム足場を構成する水平部材の斜視図である。
【図４】本発明に係る建築用システム足場を構成するリニア部材が円形の断面を有する場合に関する説明図である。
【図５】本発明に係る建築用システム足場を構成する高さ調節手段に関する説明図である。
【図６】本発明に係る建築用システム足場を構成する継手部材に関する説明図である。
【図７】本発明に係る建築用システム足場を構成するリニア部材にボルト孔が形成される場合に関する説明図である。
【図８】従来技術である韓国登録特許第１０−１２２４１８３号公報の‘組立式システム足場’に関する説明図である。
【図９】従来技術である韓国実用新案公開第２０−２０１２−０００４７５６号公報の‘システム足場’に関する説明図である。
【図１０】従来技術である韓国実用新案登録第２０−０４７５１１９号公報の‘システム足場’に関する説明図である。
【発明を実施するための形態】
【００２５】
本発明の好ましい実施例を通じて詳細に説明するに先立ち、本明細書及び特許請求の範囲に使用された用語や単語は、通常的又は辞書的な意味に限定して解釈されてはならず、本発明の技術的思想に符合する意味及び概念で解釈されなければならない。
【００２６】
図１には、本発明に係る建築用システム足場１の全体的な斜視図が示されている。
【００２７】
本発明に係る建築用システム足場１は、基本的に多数個の垂直部材１０と、多数個の水平部材２０とを含む。垂直部材１０は、棒状からなる部材であって、多数個が間隔を置いて平行に配置される。水平部材２０は、隣接して位置する垂直部材１０を連結する役割を果たす部材であって、前記垂直部材１０と同様に棒状からなる。水平部材２０は、垂直部材１０毎に多数個が配置されてもよい。
【００２８】
それぞれの垂直部材１０は、図２に示されるように、リニア部材Ｌと、多数個の装着部材１１とを含む。そして、それぞれの水平部材２０は、図３に示されるように、リニア部材Ｌと、２つのくさび２１とを含む。すなわち、垂直部材１０と水平部材２０は共通してリニア部材Ｌを含み、垂直部材１０は、リニア部材Ｌに装着部材１１を溶接する方法で作製され、水平部材２０は、リニア部材Ｌにくさび２１を溶接する方法で作製され得る。
【００２９】
リニア部材Ｌは、より具体的には、外郭フレームＬ１と補強フレームＬ２からなる。外郭フレームＬ１は、リニア部材Ｌの横断面の周縁に沿って位置し、補強フレームＬ２は、外郭フレームＬ１の内部に位置し、前記外郭フレームＬ１の内側面に連結されて外郭フレームＬ１と一体に形成される。
【００３０】
このようなリニア部材Ｌは、足場を構成する一般的なパイプ形状の部材とは異なり、横断面の中間部分が補強フレームＬ２によって補強されるので、より大きな荷重を支持することが可能である。
【００３１】
このようなリニア部材Ｌは、アルミニウムを押出成形して作製することができる。
【００３２】
垂直部材１０を構成する装着部材１１は、中央に垂直部材１０の横断面と同じ大きさの通過孔１１ｂが形成されて垂直部材１０に嵌められ得、通過孔の外側には、多数個の装着孔１１ａが等間隔に配置される。各装着部材１１に装着孔１１ａは、例えば、４個または８個形成されてもよい。装着部材１１は、垂直部材１０の長手方向上で多数個形成される。
【００３３】
水平部材２０を構成するくさび２１は、全体的な形状が‘Ｔ’字状からなり、上端部の水平な部分がリニア部材Ｌに溶接される。くさび２１は、リニア部材Ｌの両端部に付着される。水平部材２０は、くさび２１の下端部を構成する垂直な部分が、垂直部材１０の装着部材１１に形成された装着孔１１ａに挿入されることによって、垂直部材１０に対して固定されることが可能である。
【００３４】
このように本発明に係る建築用システム足場は、垂直部材１０と水平部材２０を構成するリニア部材Ｌが大きな荷重を支持できるので、構造的に安定しており、水平部材２０のくさび２１を垂直部材１０の装着孔１１ａに単純に挿入する方法により、水平部材２０を垂直部材１０に対して固定できるので、設置及び解体が容易である。また、垂直部材１０と水平部材２０が共通してリニア部材Ｌを含むので、足場を構成する部材の作製を容易にすることができる。
【００３５】
本発明に係る建築用システム足場は、通常の足場と同様に、筋交い（図示せず）と踏板６０などをさらに備えることができる。踏板６０は、図１に示されるように、縦方向に離隔した垂直部材１０を連結する縦方向の水平部材２０Ｂに固定され得る。
【００３６】
垂直部材１０と水平部材２０を構成するリニア部材Ｌの外郭フレームＬ１の外側面には凹凸が形成され得る。
【００３７】
前記凹凸は、作業者が足場を設置する過程で垂直部材１０や水平部材２０が作業者の手から滑り落ちるのを防止できるだけでなく、リニア部材Ｌに対して装着部材１１やくさび２１を溶接する際、装着部材１１などの表面とリニア部材Ｌの表面との間に空間が形成されるようにして、溶接作業が容易に行われ得るようにする。
【００３８】
リニア部材Ｌの断面は、図２などのように四角形からなってもよいが、図４に示されるように円形からなってもよい。
【００３９】
四角形の断面を有するリニア部材Ｌは、転がったりしないので、保管、移送及び作業などを容易にすることができる。円形の断面を有するリニア部材Ｌは、円形のパイプ部材を基本部材とする従来の足場の構成部材と互換可能である。例えば、縦方向の水平部材２０Ｂを円形の断面を有するリニア部材Ｌで構成する場合、従来の足場に使用されていた踏板をそのまま使用することが可能である。
【００４０】
本発明に係る建築用システム足場は高さ調節手段をさらに含むことができる。図５には、前記高さ調節手段に関する説明図が示されている。
【００４１】
足場が設置される作業場は、平らな場合もあるが、傾斜や凹凸がある場合もあり得るところ、高さ調節手段は、各垂直部材１０の高さを調節することで、垂直部材１０が同じ高さ上に置かれるようにすることができる。
【００４２】
高さ調節手段は、より具体的には、第１ねじ山３１、基底管３２及び調節管３３を含む。
【００４３】
第１ねじ山３１は、各垂直部材１０の下端部の外周面に形成され、基底管３２は、作業場の床面上に垂直に設置され、垂直部材１０の下端部が挿入される。そして、調節管３３は、短い管であって、内周面に前記第１ねじ山３１と噛み合う第２ねじ山３３ａが形成される。
【００４４】
垂直部材１０は、その下端部に調節管３３が締結されている状態で基底管３２に挿入され、調節管３３は、基底管３２内に挿入されずに基底管３２の上面に載置されるので、垂直部材１０上で調節管３３の締結位置に応じて基底管３２に対する垂直部材１０の挿入深さが定められるようになる。すなわち、垂直部材１０上で調節管３３を上下に移動させることによって、垂直部材１０の高さを調節することが可能である。
【００４５】
垂直部材１０上で調節管３３の位置を調節する際に、調節管３３を容易に回転させることができるように、調節管３３の外周面には取っ手３３ｂが突出形成されることが好ましい。
【００４６】
本発明に係る建築用システム足場が設置される建築物の高さに応じて、それぞれの垂直部材１０は多数個のリニア部材Ｌからなり、一つの垂直部材１０を構成する多数個のリニア部材Ｌは、継手部材４０によって長手方向に連結され得る。
【００４７】
継手部材４０は、図６に示されるように、短い管状からなり、継手部材４０の内部空間を長手方向上で両側に分離する分離板４１を備える。
【００４８】
このような継手部材４０の下端部には、互いに連結されるリニア部材Ｌのうち下部に位置するリニア部材Ｌの上端部が挿入され、継手部材４０の上端部には、互いに連結されるリニア部材Ｌのうち上部に位置するリニア部材Ｌの下端部が挿入される。分離板４１によって、それぞれのリニア部材Ｌは継手部材４０と一定の長さだけ重なり得るので、継手部材４０がリニア部材Ｌを安定に連結することができる。
【００４９】
継手部材４０の上端部及び下端部の壁面にはボルト締結孔４２が形成され得る。継手部材４０内にリニア部材Ｌが挿入された状態でボルト締結孔４２にボルトを締結すると、ボルトがリニア部材Ｌの外側面を加圧するようになることで、リニア部材Ｌが継手部材４０内に挿入された状態を強固に維持することができる。
【００５０】
垂直部材１０と水平部材２０を構成するリニア部材Ｌは、ボルト孔Ｌ３を備え、前記ボルト孔Ｌ３にはＴボルト５０が挿入され得る。
【００５１】
ボルト孔Ｌ３は、図７に示されるように、リニア部材Ｌの横断面の周縁部分で長手方向に沿って形成される進入孔ｅと、前記進入孔ｅからリニア部材Ｌの横断面の中心部側に延び、進入孔ｅよりも大きい幅を有するヘッド孔ｈとからなる。
【００５２】
ボルト孔Ｌ３に挿入されるＴボルト５０は、ヘッド５１が長方形からなる。このようなヘッド５１の幅は、前記進入孔ｅの幅よりは小さく形成され、長さは、前記進入孔ｅの幅よりも大きく形成される。これによって、Ｔボルト５０をボルト孔Ｌ３に挿入する際には、ヘッド５１の長手方向と進入孔ｅの長手方向とを平行にしてヘッド５１が進入孔ｅを通過するようにすることができ、Ｔボルト５０のヘッド５１がボルト孔Ｌ３に挿入された後には、ヘッド５１の幅方向と進入孔ｅの長手方向とが平行をなすようにＴボルト５０を回転させてヘッド５１が進入孔ｅを通って抜け出ることができないようにする。
【００５３】
リニア部材Ｌに固定されたＴボルト５０は、リニア部材Ｌに筋交いや梯子などを固定するときに使用することができる。
【００５４】
前記Ｔボルト５０のヘッド５１の上面にはばね５２が付着され得る。
【００５５】
ボルト孔Ｌ３に挿入されたＴボルト５０は、進入孔ｅを通って抜け出ることはできないが、ボルト孔Ｌ３の長手方向に沿って移動することはでき、Ｔボルト５０のヘッド５１の上面にばね５２を付着すると、ばね５２がＴボルト５０のヘッド５１とヘッド孔ｈの内側面との間に位置して、Ｔボルト５０を進入孔ｅ側のヘッド孔ｈの内側面の方向に加圧することによって、Ｔボルト５０がボルト孔Ｌ３の長手方向上で動かないようにすることができる。これによって、リニア部材ＬにＴボルト５０を介して筋交いなどを固定する作業を行う際、作業者がＴボルト５０を一定の位置に配置するためにＴボルト５０を保持し続ける必要がない。
【符号の説明】
【００５６】
１：建築用システム足場
１０：垂直部材
１１：装着部材
１１ａ：装着孔
２０：水平部材
２１：くさび
３１：第１ねじ山
３２：基底管
３３：調節管
３３ａ：第２ねじ山
４０：継手部材
４１：分離板
５０：Ｔボルト
５１：ヘッド
５２：ばね
ｅ：進入孔
ｈ：ヘッド孔
Ｌ：リニア部材
Ｌ１：外郭フレーム
Ｌ２：補強フレーム
Ｌ３：ボルト孔
【図１】
2021529275.tif 000003
【図２】
2021529275.tif 000004
【図３】
2021529275.tif 000005
【図４（ａ）】
2021529275.tif 000006
【図４（ｂ）】
2021529275.tif 000007
【図５（ａ）】
2021529275.tif 000008
【図５（ｂ）】
2021529275.tif 000009
【図６（ａ）】
2021529275.tif 000010
【図６（ｂ）】
2021529275.tif 000011
【図７（ａ）】
2021529275.tif 000012
【図７（ｂ）】
2021529275.tif 000013
【図７（ｃ）】
2021529275.tif 000014
【図８】
2021529275.tif 000015
【図９】
2021529275.tif 000016
【図１０】
2021529275.tif 000017
【国際調査報告】
2021529275.tif 000018
2021529275.tif 000019
2021529275.tif 000020
2021529275.tif 000021